(57)【要約】      （修正有）【課題】使用者が、従来のものとは違う感覚をイメージでき、壁材を選定することにより、設置場所の環境にマッチさせる外観が得られるトイレコンテナを提供する。【解決手段】コンテナ脱着装置付き自動車に脱着可能な、箱体２を有する脱着式トイレコンテナ１であって、箱体２が、扉３を有するトイレと、枠体５と、枠体に取り付けられる前壁６、後壁、側壁、天板９及び底板１０と、を備える。前壁、後壁及び側壁が着色されたサイディング板から構成される。【選択図】図１
0003209753.tif 000002
【実用新案登録請求の範囲】
【請求項１】
コンテナ脱着装置付き車両に脱着可能な、箱体を有する脱着式トイレコンテナであって、
前記箱体が、
扉を有するトイレと、
枠体と、
該枠体に取り付けられる前壁、後壁、側壁、天板及び底板と、を備え、
該前壁、後壁及び側壁が着色されたサイディング板から構成されること、
を特徴とする脱着式トイレコンテナ。
【請求項２】
前記サイディング板の一辺に沿って設ける凹部と、前記サイディング板の一辺と対向する他の辺に沿って設ける凸部と、を有し、少なくとも、前記側壁が、複数のサイディング板から構成され、前記凹部と凸部とが嵌合する嵌合構造を有する請求項１の脱着式トイレコンテナ。
【請求項３】
前記サイディング板が亜鉛−アルミニウム合金メッキ鋼板である請求項１または２の脱着式トイレコンテナ。
【考案の詳細な説明】
【技術分野】
【０００１】
本考案は、コンテナ脱着装置付車両を利用して移動可能な脱着式トイレコンテナに関する。
【背景技術】
【０００２】
特許文献１に記載の考案の脱着式トイレハウス１０１は、側部にドア１２０を設けた箱体１３０と、箱体１３０の底板１３１の前部下面に形成される前脚１４１と、箱体１３０の底板１３１の後部下面に形成されるローラ付後脚１４２と、コンテナ脱着装置付車両１１０に搭載する場合に案内するため底板１３１の下面にガイド１５１と、箱体１３０をコンテナ脱着装置付車両１１０に固縛するために底板１３１の下面に設けたピンを備えた固縛装置１５３と、箱体１３０の前壁１３２に固定される掛合部材１５０と、箱体１３０の内部に設けた便器１５７ａ〜１５７ｃと、手洗器１５７ｄと、を備える。
【先行技術文献】
【特許文献】
【０００３】
【特許文献１】国際公開WO2012/077352号公報
【考案の概要】
【考案が解決しようとする課題】
【０００４】
しかしながら、特許文献１の考案のコンテナは、移動可能であるので、仮設住宅、公園、イベント会場、建築土木現場等、海水浴場、山中など、様々な環境の設置場所におかれるが、コンテナが金属製で一色無模様であるので、コンテナが設置場所の環境にマッチしないという問題がある。
【０００５】
そこで、本考案は、トイレコンテナに、使用者が、従来のものとは違う感覚をイメージでき、壁材をいろいろと選定することにより、設置場所の環境にマッチさせる外観を提供することを目的とした。
【課題を解決するための手段】
【０００６】
上記課題に鑑み、請求項１の考案は、コンテナ脱着装置付き車両に脱着可能な、箱体を有する脱着式トイレコンテナであって、前記箱体が、扉を有するトイレと、枠体と、該枠体に取り付けられる前壁、後壁、側壁、天板及び底板と、を備え、該前壁、後壁及び側壁が着色されたサイディング板から構成されること、を特徴とする脱着式トイレコンテナである。
【０００７】
前記サイディング板の一辺に沿って設ける凹部と、前記サイディング板の一辺と対向する他の辺に沿って設ける凸部と、を有し、少なくとも、前記側壁が、複数のサイディング板から構成され、前記凹部と凸部とが嵌合する嵌合構造を有することが好ましい。
【０００８】
前記サイディング板は、窯業系、金属系メッキ系、樹脂系のサイディング板が挙げられる。一例として、亜鉛−アルミニウム合金メッキ鋼板を有することが例示される。防火構造、準耐火構造が好ましい。例えば、内装石膏ボード、壁内グラスウール、またはロックウール、通気胴縁を備えるものが例示される。他の例としては、鉄骨下地材(胴縁)、屋外側石膏ボード、不燃フェルトを備えたものが例示される。
【０００９】
本考案の脱着式トイレコンテナは２ｔ〜１０ｔのアーム車まで全てに対応させることが好ましい。
【考案の効果】
【００１０】
本考案は以上説明したように構成され、サイディングが分割されて凹部２１と凸部２２とが嵌合するので、コンテナ１の組み立てが容易になる。
【図面の簡単な説明】
【００１１】
【図１】本考案第１実施形態の脱着式トイレコンテナ１の外観を示す斜視図である。
【図２】同実施形態の脱着式トイレコンテナ１の正面図である。
【図３】同実施形態の脱着式トイレコンテナ１の底面である。
【図４】同実施形態の脱着式トイレコンテナ１の内部を示す横断面図である。
【図５】同実施形態の脱着式トイレコンテナ１のサイディング板を取り付ける前のコンテナの斜視図である。
【図６】同実施形態の脱着式トイレコンテナ１がコンテナ脱着装置付自動車５００に脱着される様子を示す説明図である。
【図７】同第２実施形態の脱着式トイレコンテナ２０１の斜視図である。
【図８】同第２実施形態の脱着式トイレコンテナ２０１の側面図である。
【図９】（ａ）は同第２実施形態のサイディング板２０が縦方向に嵌合する様子を示す説明図、（ｂ）はサイディング板２０が縦方向に嵌合する嵌合部の断面図である。
【考案を実施するための形態】
【００１２】
以下に、本考案の好適な一実施形態である脱着式トイレコンテナ１について図面を参照して説明する。
【００１３】
第１実施形態のトイレコンテナ１（以下、コンテナ１と略記する。）は、コンテナ脱着装置付き自動車５００（以下、自動車と略記する。）に脱着可能な、箱体２を有する脱着式トイレコンテナである。箱体２が、扉３を有するトイレ４と、枠体５と、枠体５に取り付けられる前壁６、後壁７、側壁８、天板９及び底板１０とを備えている。前壁６、後壁７及び側壁８が着色されたサイディング板２０から構成されることを特徴とする。以下、各構成を説明する。
【００１４】
コンテナ１は２ｔ〜１０ｔ用の自動車５００に全てに対応させることができる。
【００１５】
箱体２は、底板１０の前部下面に形成される前脚２ｇと、底板１０の後部下面に形成される後脚を兼ねる車輪２ｈと、自動車５００に搭載する場合に案内するため底板１０の下面に設けられるガイド２ｉと、箱体２を自動車５００に固縛するために底板１０の下面に設けたピンを備えた固縛装置２ｊと、箱体２の前壁６に固定される掛合部材２ｋと、を備えている。
【００１６】
トイレ４は、図４に示す通り、給水器４ａ、便器４ｂ、手洗い器４ｃ等を含むものである。各トイレ４は仕切壁２ｍで個室に仕切られている。箱体２の内部には用途に応じて複数種類のトイレ４を設置することができる。
【００１７】
枠体５は断面コ字形状であり、枠体５に取り付けられる前壁６、後壁７及び側壁８はサイディング板２０であり、天板９及び底板１０は金属板である。必要により、天板９もサイディング板２０で構成してもよい。枠体５にはめ込まれたサイディング板２０は内装材３０に釘、ねじ等で固定される。
【００１８】
換気扇１１が前壁６に取り付けられている。換気扇１１は、側壁８又は後壁７に設けても良い。
【００１９】
第１実施形態の動作、作用効果を説明する。まず、自動車５００にコンテナ１が積載されて移動するときには、図６に示す通り、前脚２ｇが畳まれた状態で、掛合部材２ｋにフック５０１が掛けられて、アーム５０２によって、コンテナ１を長手方向に移動させて自動車５００に固縛させる。前脚２ｇは固定式でもよい。
【００２０】
一方、コンテナ１が自動車５００から降ろされて地面に設置されるときには、前脚２ｇを展開させて立設し、装着を解除し、アーム５０２によってコンテナ１を長手方向に移動させて、自動車５００から離脱させ、地面に設置する。
【００２１】
コンテナ１を他の場所に移動させたい場合には、掛合部材２ｋにフック５０１が掛けられて、アーム５０２によってコンテナ１を長手方向に移動させて、前脚２ｇを折畳み、コンテナ１を自動車５００に固縛する。そして自動車５００を他の場所に移動する。
【００２２】
以上説明した通り、コンテナ１によれば、仮設住宅、公園、イベント会場、建築現場、海水浴場、山中など、様々な環境の設置場所の環境にマッチする色、材質等のサイディング板を予め選択して、コンテナ１を製造することができる。
【００２３】
第２実施形態のコンテナ２０１を図７及び図８を参照し説明する。第１実施形態のコンテナ１と共通する部品番号は２００番台として、説明は援用する。
【００２４】
本実施形態２のサイディング板２０は、図９に示す通り、サイディング板２０の一辺に沿って設ける凹部２１と、サイディング板２０の一辺と対向する他の辺に沿って設ける凸部２２とを有し、前壁６、後壁７及び側壁８が、複数のサイディング板２０から構成され、凹部２１と凸部２２とが嵌合する嵌合構造を有する。また、箱体２０５の短手方向に通路が貫通して形成された例である。通路に手洗いが設けられ、トイレのレイアウトが変更された例である。通路の長手方向の前後にトイレが設けられる。側壁２０８の上部に釣り上げ金具が付設されている。
【００２５】
サイディング板２０が亜鉛−アルミニウム合金メッキ鋼板を有する。SZACC（SZAC材、冷延鋼板）やSZAHC（SZAH材、熱延鋼板）等がついた鋼板であり、溶融亜鉛−５％アルミニウム合金メッキ鋼板が例示される。亜鉛−アルミ合金のメッキに、適宜の元素を添加するものでもよい。耐アルカリ性に優れる。亜鉛メッキ鋼板（溶融亜鉛メッキ鋼板、電気亜鉛メッキ鋼板）でもよい。鉛メッキ鋼板（溶融亜鉛メッキ鋼板、電気亜鉛メッキ鋼板）でもよい。
【００２６】
第２実施形態の動作、作用効果は第１実施形態と同様であるが、サイディング板２０が分割されていて、凹部２１と凸部２２を利用して、枠体２０５に嵌め込むだけで製造することができる。
【００２７】
なお、本考案の実施の形態は、上記実施形態に何ら限定されるものではなく、本考案の技術的思想を逸脱しない範囲において、当該技術的範囲に属する限り種々の改変等の形態を採り得る。
【符号の説明】
【００２８】
１・・・トイレコンテナ
２・・・箱体
２ｇ・・・前脚
２ｈ・・・車輪
２ｉ・・・ガイド
２ｊ・・・固縛装置
２ｋ・・・掛合部材
２ｍ・・・仕切壁
３・・・扉
４・・・トイレ
４ａ・・・給水器
４ｂ・・・便器
４ｃ・・・手洗い器
５・・・枠体
６・・・前壁
７・・・後壁
８・・・側壁
９・・・天板
１０・・・底板
１１・・・換気扇
２０・・・サイディング板
２１・・・凹部
２２・・・凸部
３０・・・内装材
１０１・・・脱着式トイレコンテナ
２０１・・・脱着式トイレコンテナ
２０５・・・枠体
５００・・・コンテナ脱着装置付自動車
５０１・・・フック
５０２・・・アーム
【図１】
0003209753.tif 000003
【図２】
0003209753.tif 000004
【図３】
0003209753.tif 000005
【図４】
0003209753.tif 000006
【図５】
0003209753.tif 000007
【図６】
0003209753.tif 000008
【図７】
0003209753.tif 000009
【図８】
0003209753.tif 000010
【図９】
0003209753.tif 000011